(57)【要約】【課題】コピー前のデータによる出力の質を落とさず、良好な質を維持したままでのコピーを不可能とする。【解決手段】再生機１１０からのアナログ画像データＶａｎ１から分離回路１３１で同期信号ＶＤ，ＨＤを分離する。同期信号ＶＤ，ＨＤを遅延回路１３２で遅延してクロック発生回路１３３に供給し、それに基づいて有効画面の範囲でサンプリングクロックＣＬＫを発生する。このクロックＣＬＫは、分離回路１３１で分離される同期信号ＶＤ，ＨＤそのものに基づく場合と比べて、垂直、水平に位相がずれたものとなり、従ってＡ／Ｄ変換器１３４で得られる画像データＶｄｇ１の位相もずれる。符号化部１３５は、サンプリングによる符号化、変換符号化、ＡＤＲＣ等を行う。画像データＶｄｇ１の位相がずれることで、サンプリング位置、ブロック位置が、画像データＶａｎ１に係る原符号化データを得たときの位置とはずれ、符号化部１３５で大きな劣化が発生する。【選択図】        図１
2004289685.tif 000002
【特許請求の範囲】
【請求項１】
データを符号化するデータ符号化装置において、
アナログデータが入力される入力手段と、
上記入力手段に入力されるアナログデータをデジタルデータに変換するアナログ・デジタル変換手段と、
上記アナログ・デジタル変換手段から出力されるデジタルデータの位相をずらす位相ずらし手段と、
上記位相ずらし手段で位相がずらされたデジタルデータを符号化する符号化手段と
を備えることを特徴とするデータ符号化装置。
【請求項２】
上記アナログ・デジタル変換手段は上記位相ずらし手段を含み、
上記アナログ・デジタル変換手段が上記アナログデータを上記デジタルデータに変換する際に、上記デジタルデータの位相をずらす
ことを特徴とする請求項１に記載のデータ符号化装置。
【請求項３】
上記符号化手段から出力される符号化データを復号化する復号化手段と、
上記復号化手段から出力されるデジタルデータをアナログデータに変換するデジタル・アナログ変換手段をさらに備える
ことを特徴とする請求項１に記載のデータ符号化装置。
【請求項４】
上記符号化手段から出力される符号化データを記録媒体に記録する記録手段をさらに備える
ことを特徴とする請求項１に記載のデータ符号化装置。
【請求項５】
上記デジタルデータは画像データであって、
上記デジタル・アナログ変換手段から出力されるアナログデータによる画像を表示する画像表示手段をさらに備える
ことを特徴とする請求項３に記載のデータ符号化装置。
【請求項６】
上記デジタルデータは音声データであって、
上記デジタル・アナログ変換手段から出力されるアナログデータによる音声を出力する音声出力手段をさらに備える
ことを特徴とする請求項３に記載のデータ符号化装置。
【請求項７】
上記位相ずらし手段は、上記デジタルデータの位相のずらし幅を固定とする
ことを特徴とする請求項１に記載のデータ符号化装置。
【請求項８】
上記位相ずらし手段は、上記デジタルデータの位相のずらし幅をランダムとする
ことを特徴とする請求項１に記載のデータ符号化装置。
【請求項９】
上記符号化手段は、上記デジタルデータに対してサブサンプリングによる符号化を行う
ことを特徴とする請求項１に記載のデータ符号化装置。
【請求項１０】
上記符号化手段は、上記デジタルデータに対して変換符号化を行う
ことを特徴とする請求項１に記載のデータ符号化装置。
【請求項１１】
上記符号化手段は、
上記位相ずらし手段で位相がずらされたデジタルデータから所定範囲のデジタルデータを抽出する抽出手段と、
上記抽出手段で抽出されたデジタルデータの最大値を検出する最大値検出手段と、
上記抽出手段で抽出されたデジタルデータの最小値を検出する最小値検出手段と、
上記最大値検出手段で検出された最大値および上記最小値検出手段で検出された最小値に基づいて、上記抽出手段で抽出されたデジタルデータのダイナミックレンジを検出するダイナミックレンジ検出手段と、
上記抽出手段で抽出されたデジタルデータから上記最小値検出手段で検出された最小値を減算して最小値除去データを生成する生成手段と、
上記生成手段で生成された最小値除去データを、上記ダイナミックレンジ検出手段で検出されたダイナミックレンジに応じて決定される量子化ステップにより量子化する量子化手段とを有する
ことを特徴とする請求項１に記載のデータ符号化装置。
【請求項１２】
上記量子化手段は、上記ダイナミックレンジに応じて、量子化ビット数を変化させる
ことを特徴とする請求項１１に記載のデータ符号化装置。
【請求項１３】
上記符号化手段は、上記デジタルデータに対してデータ圧縮符号化を行う
ことを特徴とする請求項１に記載のデータ符号化装置。
【請求項１４】
データを符号化するデータ符号化装置において、
デジタルデータが入力される入力手段と、
上記入力手段に入力されるデジタルデータの位相をずらす位相ずらし手段と、上記位相ずらし手段で位相がずらされたデジタルデータを符号化する符号化手段と
を備えることを特徴とするデータ符号化装置。
【請求項１５】
上記符号化手段から出力される符号化データを復号化する復号化手段と、
上記復号化手段から出力されるデジタルデータをアナログデータに変換するデジタル・アナログ変換手段をさらに備える
ことを特徴とする請求項１４に記載のデータ符号化装置。
【請求項１６】
データを符号化する符号化装置において、
デジタルデータが入力される入力手段と、
上記入力手段に入力されるデジタルデータを符号化する第１の符号化手段と、上記第１の符号化手段で符号化されたデジタルデータをさらに符号化する第２の符号化手段と、
上記第２の符号化手段で符号化されたデジタルデータをさらに符号化する第３の符号化手段とを備え、
上記第１の符号化手段、上記第２の符号化手段および上記第３の符号化手段の出力データは、上記入力手段に入力される上記デジタルデータの位相がずれることによって劣化する
ことを特徴とするデータ符号化装置。
【請求項１７】
上記第１の符号化手段は、上記デジタルデータに対してサブサンプリングによる符号化を行い、
上記第２の符号化手段は、
上記第１の符号化手段で符号化されたデジタルデータから所定範囲のデジタルデータを抽出する抽出手段と、
上記抽出手段で抽出されたデジタルデータの最大値を検出する最大値検出手段と、
上記抽出手段で抽出されたデジタルデータの最小値を検出する最小値検出手段と、
上記最大値検出手段で検出された最大値および上記最小値検出手段で検出された最小値に基づいて、上記抽出手段で抽出されたデジタルデータのダイナミックレンジを検出するダイナミックレンジ検出手段と、
上記抽出手段で抽出されたデジタルデータから上記最小値検出手段で検出された最小値を減算して最小値除去データを生成する生成手段と、
上記生成手段で生成された最小値除去データを、上記ダイナミックレンジ検出手段で検出されたダイナミックレンジに応じて決定される量子化ステップにより量子化する量子化手段とを有する
ことを特徴とする請求項１６に記載のデータ符号化装置。
【請求項１８】
上記第３の符号化手段は、上記デジタルデータに対して変換符号化を行う
ことを特徴とする請求項１７に記載のデータ符号化装置。
【請求項１９】
データを符号化するデータ符号化装置において、
デジタルデータが入力される入力手段と、
上記入力手段に入力されるデジタルデータに対してサブサンプリングによる符号化を行う第１の符号化手段と、
上記第１の符号化手段で符号化されたデジタルデータに対して変換符号化を行う第２の符号化手段と
を備えることを特徴とするデータ符号化装置。
【請求項２０】
上記デジタルデータは画像データであって、
上記第１の符号化手段は、ラインオフセットサブサンプリングを行うと共に、連続する２ライン毎に該２ラインに対応したデジタルデータを構成する画素データを交互に配置して新たなデジタルデータを作成する
ことを特徴とする請求項１９に記載のデータ符号化装置。
【請求項２１】
データを符号化するデータ符号化装置において、
デジタルデータが入力される入力手段と、
上記入力手段に入力されるデジタルデータに対してサブサンプリングによる符号化を行う第１の符号化手段と、
上記第１の符号化手段で符号化されたデジタルデータをさらに符号化する第２の符号化手段とを備え、
上記第２の符号化手段は、
上記第１の符号化手段で符号化されたデジタルデータから所定範囲のデジタルデータを抽出する抽出手段と、
上記抽出手段で抽出されたデジタルデータの最大値を検出する最大値検出手段と、
上記抽出手段で抽出されたデジタルデータの最小値を検出する最小値検出手段と、
上記最大値検出手段で検出された最大値および上記最小値検出手段で検出された最小値に基づいて、上記抽出手段で抽出されたデジタルデータのダイナミックレンジを検出するダイナミックレンジ検出手段と、
上記抽出手段で抽出されたデジタルデータから上記最小値検出手段で検出された最小値を減算して最小値除去データを生成する生成手段と、
上記生成手段で生成された最小値除去データを、上記ダイナミックレンジ検出手段で検出されたダイナミックレンジに応じて決定される量子化ステップにより量子化する量子化手段とを有する
ことを特徴とするデータ符号化装置。
【請求項２２】
上記デジタルデータは画像データであって、
上記第１の符号化手段は、ラインオフセットサブサンプリングを行うと共に、連続する２ライン毎に該２ラインに対応したデジタルデータを構成する画素データを交互に配置して新たなデジタルデータを作成する
ことを特徴とする請求項２１に記載のデータ符号化装置。
【請求項２３】
データを符号化するデータ符号化方法において、
アナログデータが入力される入力工程と、
上記入力されたアナログデータをデジタルデータに変換するアナログ・デジタル変換工程と、
上記変換されたデジタルデータの位相をずらす位相ずらし工程と、
上記位相がずらされたデジタルデータを符号化する符号化工程と
を備えることを特徴とするデータ符号化方法。
【請求項２４】
データを符号化するデータ符号化方法において、
デジタルデータが入力される入力工程と、
上記入力されたデジタルデータの位相をずらす位相ずらし工程と、
上記位相がずらされたデジタルデータを符号化する符号化工程と
を備えることを特徴とするデータ符号化方法。
【請求項２５】
データを出力するデータ出力装置において、
符号化されたデジタルデータを出力するデータ出力手段と、
上記データ出力手段から出力されるデジタルデータを復号化する復号化手段と、
上記復号化手段で得られるデジタルデータに対応した同期情報に基づいて同期信号を発生する同期信号発生手段と、
上記同期信号発生手段で発生される同期信号および上記復号化手段から出力されるデジタルデータの位相を相対的にずらす位相ずらし手段と
上記位相ずらし手段で相対的に位相がずらされた同期信号およびデジタルデータを合成する合成手段と
を備えることを特徴とするデータ出力装置。
【請求項２６】
上記データ出力手段は、記録媒体より上記デジタルデータを再生して出力する
ことを特徴とする請求項２５に記載のデータ出力装置。
【請求項２７】
上記合成器から出力されるデジタルデータをアナログデータに変換するデジタル・アナログ変換手段をさらに備える
ことを特徴とする請求項２５に記載のデータ出力装置。
【請求項２８】
上記位相ずらし手段は、上記位相のずらし幅を固定とする
ことを特徴とする請求項２５に記載のデータ出力装置。
【請求項２９】
上記位相ずらし手段は、上記位相のずらし幅をランダムとする
ことを特徴とする請求項２５に記載のデータ出力装置。
【請求項３０】
上記符号化されたデジタルデータは、サブサンプリングによる符号化を行うことで得られたデジタルデータである
ことを特徴とする請求項２５に記載のデータ出力装置。
【請求項３１】
上記符号化されたデジタルデータは、変換符号化を行うことで得られたデジタルデータである
ことを特徴とする請求項２５に記載のデータ出力装置。
【請求項３２】
上記符号化されたデジタルデータは、符号化手段で符号化されて得られたデジタルデータであり、
上記符号化手段は、
符号化前のデジタルデータから所定範囲のデジタルデータを抽出する抽出手段と、
上記抽出手段で抽出されたデジタルデータの最大値を検出する最大値検出手段と、
上記抽出手段で抽出されたデジタルデータの最小値を検出する最小値検出手段と、
上記最大値検出手段で検出された最大値および上記最小値検出手段で検出された最小値に基づいて、上記抽出手段で抽出されたデジタルデータのダイナミックレンジを検出するダイナミックレンジ検出手段と、
上記抽出手段で抽出されたデジタルデータから上記最小値検出手段で検出された最小値を減算して最小値除去データを生成する生成手段と、
上記生成手段で生成された最小値除去データを、上記ダイナミックレンジ検出手段で検出されたダイナミックレンジに応じて決定される量子化ステップにより量子化する量子化手段とを有する
ことを特徴とする請求項２５に記載のデータ出力装置。
【請求項３３】
データを出力するデータ出力方法において、
符号化されたデジタルデータを出力するデータ出力工程と、
上記出力されたデジタルデータを復号化する復号化工程と、
上記復号化されて得られたデジタルデータに対応した同期情報に基づいて同期信号を発生する同期信号発生工程と、
上記発生された同期信号および上記復号化されて得られたデジタルデータの相対的な位相をずらす位相ずらし工程と
上記相対的な位相がずらされた同期信号およびデジタルデータを合成する合成工程と
を備えることを特徴とするデータ出力方法。
【発明の詳細な説明】
【０００１】
【発明の属する技術分野】
この発明は、データ符号化装置およびデータ符号化方法、並びにデータ出力装置およびデータ出力方法に関する。
【０００２】
詳しくは、この発明は、位相がずらされたデジタルデータを符号化する構成とすることによって、コピー前のデータによる出力の質を落とすことなく、良好な質を維持したままでのコピーを不可能とするデータ符号化装置等に係るものである。
【０００３】
また、この発明は、出力すべきデジタルデータと同期信号の位相を相対的にずらす構成とすることによって、コピー前のデータによる出力の質を落とすことなく、良好な質を維持したままでのコピーを不可能とするデータ出力装置等に係るものである。
【０００４】
【従来の技術】
図２２は、従来周知の画像表示システム２００の構成例を示している。この画像表示システム２００は、アナログの画像データＶａｎを出力する再生機２１０と、この再生機２１０から出力される画像データＶａｎによる画像を表示するディスプレイ２２０とから構成されている。
【０００５】
再生機２１０では、図示しない光ディスク等の記録媒体から再生された符号化された画像データを復号化部２１１で復号化し、さらに復号化されて得られたデジタルの画像データをＤ／Ａ（Ｄｉｇｉｔａｌ−ｔｏ−Ａｎａｌｏｇ）変換器２１２でアナログデータに変換することでアナログの画像データＶａｎが得られる。なお、ディスプレイ２２０は、例えばＣＲＴ（Ｃａｔｈｏｄｅ−Ｒａｙ  Ｔｕｂｅ）ディスプレイ、ＬＣＤ（Ｌｉｑｕｉｄ  Ｃｒｙｓｔａｌ  Ｄｉｓｐｌａｙ）等である。
【０００６】
ところで、このような画像表示システム２００の再生機２１０より出力されるアナログの画像データＶａｎを利用して、デジタル的な不正コピーが行われるおそれがあった。
【０００７】
すなわち、アナログの画像データＶａｎはＡ／Ｄ（ａｎａｌｏｇ−ｔｏ−ｄｉｇｉｔａｌ）変換器２３１でデジタルデータＶｄｇに変換されて符号化部２３２に供給される。符号化部２３２では、デジタルの画像データＶｄｇが符号化されて、符号化された画像データＶｃｄが得られる。そして、この符号化された画像データＶｃｄは記録部２３３に供給され、光ディスク等の記録媒体に記録される。
【０００８】
従来、このようなアナログの画像データＶａｎを利用した不正コピーを防止するために、著作権保護がなされている場合には、アナログの画像データＶａｎをスクランブル処理して出力したり、あるいはアナログの画像データＶａｎの出力を禁止することが提案されている（例えば、特許文献１参照）。
【０００９】
【特許文献１】
特開２００１−２４５２７０号公報
【００１０】
【発明が解決しようとする課題】
上述した特許文献１のようにアナログの画像データＶａｎをスクランブル処理して出力したり、あるいはアナログの画像データＶａｎの出力を禁止することで、不正コピーを防止できるが、ディスプレイ２２０に正常な画像が表示されなくなるという問題が発生する。
【００１１】
この発明の目的は、コピー前のデータによる出力の質を落とすことなく、良好な質を維持したままでのコピーを不可能とすることにある。
【００１２】
【課題を解決するための手段】
この発明に係るデータ符号化装置は、アナログデータが入力される入力手段と、この入力手段に入力されるアナログデータをデジタルデータに変換するアナログ・デジタル変換手段と、このアナログ・デジタル変換手段から出力されるデジタルデータの位相をずらす位相ずらし手段と、この位相ずらし手段で位相がずらされたデジタルデータを符号化する符号化手段とを備えるものである。
【００１３】
また、この発明に係るデータ符号化方法は、アナログデータが入力される入力工程と、この入力されたアナログデータをデジタルデータに変換するアナログ・デジタル変換工程と、この変換されたデジタルデータの位相をずらす位相ずらし工程と、この位相がずらされたデジタルデータを符号化する符号化工程とを備えるものである。
【００１４】
また、この発明に係るデータ符号化装置は、デジタルデータが入力される入力手段と、この入力手段に入力されるデジタルデータの位相をずらす位相ずらし手段と、この位相ずらし手段で位相がずらされたデジタルデータを符号化する符号化手段とを備えるものである。
【００１５】
また、この発明に係るデータ符号化方法は、デジタルデータが入力される入力工程と、この入力されたデジタルデータの位相をずらす位相ずらし工程と、この位相がずらされたデジタルデータを符号化する符号化工程と備えるものである。
【００１６】
この発明においては、入力されたアナログデータがデジタルデータに変換される。そして、このデジタルデータの位相がずらされた後に符号化が行われる。ここで、デジタルデータの位相のずらし幅は、固定、あるいはランダムとされる。ランダムの場合のずらし幅は、例えば電源投入時の乱数発生器の出力に基づいて設定される。
【００１７】
例えば、アナログデータが入力されるものでは、デジタルデータの位相のずらしは、アナログデータをデジタルデータに変換する際に行われる。この場合、例えば、サンプリングクロックの位相をずらすことで、デジタルデータの位相をずらすことができる。また例えば、アナログデータの位相をずらすことで、デジタルデータの位相をずらすことができる。
【００１８】
例えば、符号化はサブサンプリングによる符号化である。この符号化では、デジタルデータの位相がずらされることで、サブサンプリングで得られるデータが、上述の入力アナログデータ（入力デジタルデータ）を取得する際に使用された符号化デジタルデータとは異なる位相のものとなる。そのため、符号化後のデジタルデータを記録媒体に記録する場合には、良好な質を維持できなくなる。
【００１９】
また例えば、符号化はＤＣＴ（Ｄｉｓｃｒｅｔｅ  Ｃｏｓｉｎｅ  Ｔｒａｎｓｆｏｒｍ）等の直交変換を用いた変換符号化である。この符号化では、デジタルデータの位相がずらされることで、直交変換をする際のブロック（ＤＣＴブロック）の位置が、上述の入力アナログデータ（入力デジタルデータ）を取得する際に使用された符号化デジタルデータを得る際のブロックの位置からずれたものとなる。そのため、符号化後のデジタルデータを記録媒体に記録する場合には、良好な質を維持できなくなる。
【００２０】
また例えば、符号化はＡＤＲＣ（Ａｄａｐｔｉｖｅ  Ｄｙｎａｍｉｃ  Ｒａｎｇｅ  Ｃｏｄｉｎｇ）である。このＡＤＲＣの符号化では、位相がずらされたデジタルデータから所定範囲のデジタルデータが抽出され、この抽出されたデジタルデータの最大値、最小値、ダイナミックレンジが検出される。そして、抽出されたデジタルデータから最小値が減算されて最小値除去データが生成され、この最小値除去データがダイナミックレンジに応じて決定される量子化ステップにより量子化される。
【００２１】
このＡＤＲＣの符号化では、デジタルデータの位相がずらされることで、デジタルデータを抽出するための所定範囲（ＡＤＲＣブロック）の位置が、上述の入力アナログデータ（入力デジタルデータ）を取得する際に使用された符号化デジタルデータを得る際の所定範囲の位置からずれたものとなる。そのため、符号化後のデジタルデータを記録媒体に記録する場合には、良好な質を維持できなくなる。
【００２２】
このように、位相がずらされたデジタルデータを符号化する構成とすることで、コピー前のデータによる出力の質を落とすことなく、良好な質を維持したままでのコピーを不可能とすることができる。
【００２３】
この発明に係るデータ符号化装置は、デジタルデータが入力される入力手段と、この入力手段に入力されるデジタルデータを符号化する第１の符号化手段と、この第１の符号化手段で符号化されたデジタルデータをさらに符号化する第２の符号化手段と、この第２の符号化手段で符号化されたデジタルデータをさらに符号化する第３の符号化手段とを備え、第１の符号化手段、第２の符号化手段および第３の符号化手段の出力データは、入力手段に入力されるデジタルデータの位相がずれることによって劣化するものである。例えば、第１の符号化手段は、デジタルデータに対してサブサンプリングによる符号化を行い、第２の符号化手段はＡＤＲＣの符号化を行う。その場合、例えば第３の符号化手段は変換符号化を行う。
【００２４】
また、この発明に係るデータ符号化装置は、デジタルデータが入力される入力手段と、この入力手段に入力されるデジタルデータに対してサブサンプリングによる符号化を行う第１の符号化手段と、この第１の符号化手段で符号化されたデジタルデータに対して変換符号化を行う第２の符号化手段とを備えるものである。
【００２５】
また、この発明に係るデータ符号化装置は、デジタルデータが入力される入力手段と、この入力手段に入力されるデジタルデータに対してサブサンプリングによる符号化を行う第１の符号化手段と、この第１の符号化手段で符号化されたデジタルデータに対してＡＤＲＣの符号化を行う第２の符号化手段とを備えるものである。
【００２６】
例えば、デジタルデータが画像データである場合、第１の符号化手段は、ラインオフセットサブサンプリングを行うと共に、連続する２ライン毎にこの２ラインに対応したデジタルデータを構成する画素データを交互に配置して新たなデジタルデータを作成する。この場合、この新たなデジタルデータに対して、第２の符号化手段は、変換符号化、あるいはＡＤＲＣの符号化を行う。
【００２７】
この発明においては、各符号化手段における劣化によって、符号化後のデジタルデータを記録媒体に記録する場合には、良好な質を維持できなくなる。この場合、良好な質を維持できなくなるという効果は、単一の符号化手段を用いる場合と比べて大きなものとなる。
【００２８】
この発明に係るデータ出力装置は、符号化されたデジタルデータを出力するデータ出力手段と、このデータ出力手段から出力されるデジタルデータを復号化する復号化手段と、この復号化手段で得られるデジタルデータに対応した同期情報に基づいて同期信号を発生する同期信号発生手段と、この同期信号発生手段で発生された同期信号および復号化手段で得られるデジタルデータの位相を相対的にずらす位相ずらし手段と、この位相ずらし手段で相対的に位相がずらされた同期信号およびデジタルデータを合成する合成手段とを備えるものである。
【００２９】
また、この発明に係るデータ出力方法は、符号化されたデジタルデータを出力するデータ出力工程と、この出力されたデジタルデータを復号化する復号化工程と、復号化されて得られたデジタルデータに対応した同期情報に基づいて同期信号を発生する同期信号発生工程と、この発生された同期信号および復号化されて得られたデジタルデータ位相を相対的にずらす位相ずらし工程と、この位相が相対的にずらされた同期信号およびデジタルデータを合成する合成工程とを備えるものである。
【００３０】
この発明においては、符号化されたデジタルデータが、例えば記録媒体から再生されて出力される。また例えば、この符号化されたデジタルデータは、放送信号が処理されて出力される。この場合、この符号化されたデジタルデータは復号化される。符号化されたデジタルデータは、例えば、サブサンプリングによる符号化、変換符号化、あるいはＡＤＲＣの符号化等を行うことで得られたものである。
【００３１】
復号化して得られたデジタルデータに対応した同期情報に基づいて同期信号が発生される。そして、この同期信号と復号化して得られたデジタルデータとの位相が相対的にずらされた後に、これら同期信号およびデジタルデータが合成される。このように合成されて得られるデジタルデータは、例えばアナログデータに変換される。位相のずらしは、例えば同期信号またはデジタルデータの位相をずらすことで行うことができる。ここで、位相のずらし幅は、固定、あるいはランダムとされる。
【００３２】
このように同期信号と復号化して得られたデジタルデータとの位相が相対的にずらされる。そのため、同期信号に基づいてデジタルデータを処理して再び符号化を行う場合には、大きな劣化が発生する。なお、このように同期信号とデジタルデータとの位相を相対的にずらしたことによって、このデジタルデータによる出力の質は低下しない。
【００３３】
例えば符号化がサブサンプリングによる符号化である場合、同期信号とデジタルデータの位相が相対的にずらされることで、サブサンプリングで得られるデータが、上述の復号化前の符号化デジタルデータとは異なる位相のものとなる。そのため、符号化後のデジタルデータを記録媒体に記録する場合には、良好な質を維持できない。
【００３４】
また例えば、符号化がＤＣＴ等の直交変換を用いた変換符号化である場合には、同期信号とデジタルデータの位相が相対的にずらされることで、直交変換をする際のブロック（ＤＣＴブロック）の位置が、上述の復号化前の符号化デジタルデータを得る際のブロックの位置からずれたものとなる。そのため、符号化後のデジタルデータを記録媒体に記録する場合には、良好な質を維持できない。
【００３５】
また例えば、符号化がＡＤＲＣの符号化である場合には、同期信号とデジタルデータとの位相が相対的にずらされることで、デジタルデータを抽出するための所定範囲（ＡＤＲＣブロック）の位置が、上述の復号化前の符号化デジタルデータを得る際の所定範囲の位置からずれたものとなる。そのため、符号化後のデジタルデータを記録媒体に記録する場合には、良好な質を維持できなくなる。
【００３６】
このように、出力すべきデジタルデータと同期信号の位相を相対的にずらす構成とすることで、コピー前のデータによる出力の質を落とすことなく、良好な質を維持したままでのコピーを不可能とすることができる。
【００３７】
【発明の実施の形態】
以下、図面を参照しながら、この発明の実施の形態について説明する。図１は、実施の形態としての画像表示システム１００の構成を示している。
この画像表示システム１００は、アナログの画像データＶａｎ１を出力する再生機１１０と、この再生機１１０から出力される画像データＶａｎ１による画像を表示するディスプレイ１２０とを有している。
【００３８】
再生機１１０では、図示しない光ディスク等の記録媒体から再生された符号化された画像データを復号化部１１１で復号化し、さらに復号化されて得られたデジタルの画像データをＤ／Ａ変換器１１２でアナログデータに変換することで、アナログの画像データＶａｎ１が得られる。なお、ディスプレイ１２０は、例えばＣＲＴディスプレイ、ＬＣＤ等である。
【００３９】
また、この画像表示システム１００は、アナログの画像データＶａｎ１を利用して、再び符号化処理を行い、符号化された画像データを光ディスク等の記録媒体に記録する符号化装置１３０を有している。
【００４０】
この符号化装置１３０は、再生機１１０より出力されるアナログの画像データＶａｎ１から垂直同期信号ＶＤおよび水平同期信号ＨＤを分離する同期分離回路１３１と、この同期分離回路１３１で分離された同期信号ＶＤ，ＨＤを遅延する遅延回路１３２と、この遅延回路１３２で遅延された同期信号ＶＤ，ＨＤに基づいて、有効画面の範囲でサンプリングクロックＣＬＫを発生するクロック発生回路１３３とを有している。
【００４１】
ここで、遅延回路１３２では、同期信号ＶＤ，ＨＤが、それぞれ固定時間あるいはランダムな時間だけ遅延される。ランダムな時間は、例えば乱数発生器を持っており、電源オン時に発生される乱数に基づいて決定でき、あるいはメモリに所定種類の時間を用意しており、電源オン毎に順次選択して得ることができる。
【００４２】
また、符号化装置１３０は、再生機１１０より出力されるアナログの画像データＶａｎ１をデジタルデータに変換するＡ／Ｄ変換器１３４を有している。このＡ／Ｄ変換器１３４には、上述したクロック発生回路１３３で発生されるサンプリングクロックＣＬＫが供給される。
【００４３】
上述したように、同期分離回路１３１で分離された同期信号ＶＤ，ＨＤは遅延回路１３２を介してクロック発生回路１３３に供給されるものであり、このサンプリングクロックＣＬＫの位相は、同期信号ＶＤ，ＨＤを直接クロック発生回路１３３に供給する場合と比べて、垂直方向および水平方向にずれたものとなる。
【００４４】
このようにサンプリングクロックＣＬＫの位相がずれることで、Ａ／Ｄ変換器１３４より出力されるデジタルの画像データＶｄｇ１の位相も垂直方向および水平方向にずれたものとなる。この場合、Ａ／Ｄ変換器１３４は、位相ずらし手段を含むものである。
【００４５】
図２の「●」で示す位置は、Ａ／Ｄ変換器１３４より出力されるデジタルの画像データＶｄｇ１を構成する各画素データの画素位置の一例を示している。「○」で示す位置は、位相をずらしていない場合の画素位置を示している。この場合、水平方向にはφｈだけ位相がずれており、垂直方向にはφｖだけ位相がずれている。φｈは水平方向のずらし幅であり、φｖは垂直方向のずらし幅である。
【００４６】
なお、図２に示す例では、水平方向および垂直方向の双方に位相をずらしたものであるが、水平方向または垂直方向の一方に位相をずらすこともできる。また、図２に示す例から明らかなように、水平方向への位相のずらし幅は画素間隔より小さな精度で設定できるが、垂直方向へのずらし幅は画素間隔の整数倍にしか設定できない。上述したように同期信号ＶＤ，ＨＤの遅延時間をランダムな時間とすると、ずらし幅φｈ，φｖが遅延時間の変化と共に変化することになる。
【００４７】
図１に戻って、また符号化装置１３０は、Ａ／Ｄ変換器１３４より出力されるデジタルの画像データＶｄｇ１を符号化する符号化部１３５を有している。この符号化部１３５では、上述した再生機１１０で光ディスク等の記録媒体から再生されて得られる符号化された画像データと同様の符号化が行われる。また、この符号化は、上述したように画像データＶｄｇ１の位相がずれることで、当該符号化により大きな劣化が発生するものである。符号化部１３５の具体構成については後述する。
【００４８】
また、符号化装置１３０は、符号化部１３５より出力される符号化された画像データＶｃｄを光ディスク等の記録媒体に記録する記録部１３６を有している。この場合、記録部１３６では、アナログの画像データＶａｎ１に基づくコピーが行われることとなる。
【００４９】
また、符号化装置１３０は、符号化部１３５より出力される符号化された画像データＶｃｄを復号化する復号化部１３７と、この復号化部１３７で復号化されて得られたデジタルの画像データＶｄｇ２をアナログデータに変換するＤ／Ａ変換器１３８と、このＤ／Ａ変換器１３８より出力されるアナログの画像データＶａｎ２による画像を表示するディスプレイ１３９とを有している。ディスプレイ１３９は、例えばＣＲＴディスプレイ、ＬＣＤ等である。
【００５０】
次に、符号化装置１３０の動作を説明する。
再生機１１０より出力されるアナログの画像データＶａｎ１は同期分離回路１３１に供給される。この同期分離回路１３１では、画像データＶａｎ１から垂直同期信号ＶＤおよび水平同期信号ＨＤが分離される。このように分離された同期信号ＶＤ，ＨＤは遅延回路１３２で遅延された後にクロック発生回路１３３に供給される。
【００５１】
クロック発生回路１３３では、遅延された同期信号ＶＤ，ＨＤに基づいて、有効画面の範囲でサンプリングクロックＣＬＫが発生される。このサンプリングクロックＣＬＫは、同期分離回路１３１で分離される同期信号ＶＤ，ＨＤそのものに基づいて発生する場合と比べて、垂直方向および水平方向に位相がずれたものとなる。
【００５２】
また、再生機１１０より出力されるアナログの画像データＶａｎ１はＡ／Ｄ変換器１３４に供給される。このＡ／Ｄ変換器１３４には、上述したクロック発生回路１３３で発生されるサンプリングクロックＣＬＫが供給される。このＡ／Ｄ変換器１３４では、アナログの画像データＶａｎ１が、サンプリングクロックＣＬＫでサンプリングされて、デジタルデータに変換される。
【００５３】
この場合、サンプリングクロックＣＬＫの位相が上述したように垂直方向および水平方向にずれたものとなっていることから、Ａ／Ｄ変換器１３４より出力されるデジタルの画像データＶｄｇ１の位相も垂直方向および水平方向にずれたものとなる（図２参照）。
【００５４】
このＡ／Ｄ変換器１３４より出力されるデジタルの画像データＶｄｇ１は符号化部１３５に供給される。この符号化部１３５では、画像データＶｄｇ１が符号化されて、符号化された画像データＶｃｄが得られる。この場合、上述したように画像データＶｄｇ１の位相がずれているため、この符号化部１３４における符号化により大きな劣化が発生する。
【００５５】
この符号化部１３５より出力される符号化された画像データＶｃｄは記録部１３６に供給される。記録部１３６では、この画像データＶｃｄが光ディスク等の記録媒体に記録され、アナログの画像データＶａｎ１に基づくコピーが行われる。このように記録媒体に記録される画像データＶｃｄは劣化したものとなっているので、この記録媒体に記録された画像データＶｃｄを再生して得られる画像の画質は、再生機１１０より出力されるアナログの画像信号Ｖａｎによる画像に比べて大幅に劣化したものとなる。したがって、この符号化装置１３０では、良好な画質を維持したままでのコピーは不可能となる。
【００５６】
また、符号化部１３５より出力される符号化された画像データＶｃｄは復号化部１３７に供給されて復号化される。この復号化部１３７で復号化されて得られたデジタルの画像データＶｄｇ２はＤ／Ａ変換器１３８でアナログの画像データＶａｎ２に変換される。そして、Ｄ／Ａ変換器１３８より出力されるアナログの画像データＶａｎ２がディスプレイ１３９に供給される。ディスプレイ１３９には、画像データＶａｎ２による画像が表示される。
【００５７】
この場合、ディスプレイ１３９は、符号化された画像データＶｃｄによる画像をユーザがモニタするためのものである。上述したように、画像データＶｃｄは劣化したものとなっているので、ディスプレイ１３９に表示される画像の画質は、再生機１１０より出力されるアナログの画像信号Ｖａｎ１による画像（ディスプレイ１２０に表示される）に比べて大幅に劣化したものとなる。
【００５８】
上述した符号化装置１３０であっても、再生機１１０より出力されるアナログの画像データＶａｎ１の代わりに、符号化部１３５で行われるような符号化およびその復号化を経ていないアナログの画像データが供給される場合には、符号化部１３４における符号化では、上述したように画像データＶｄｇ１の位相がずらされたことに起因する劣化はない。
【００５９】
また、図１に示す画像表示システム１００の場合、符号化装置１３０で良好な画質を維持したままでのコピーを不可能とするために、再生機１１０より出力されるアナログの画像データＶａｎ１に何等加工するものではなく、このアナログの画像データＶａｎ１による画像の画質を落とすことはない。
【００６０】
次に、符号化部１３５の具体構成を説明する。
図３は、符号化部１３５の構成例を示している。この場合、符号化部１３５では、サブサンプリングによる符号化（データ圧縮符号化）が行われる。
【００６１】
この符号化部１３５は、デジタルの画像データＶｄｇ１を入力する入力端子１４１と、この入力端子１４１に入力された画像データＶｄｇ１の帯域を制限するローパスフィルタ（ＬＰＦ）１４２とを有している。ローパスフィルタ１４２は、後段で行われるサブサンプリングによる折り返し歪みの発生を防止するために設けられる。
【００６２】
また、符号化部１３５は、ローパスフィルタ１４２で帯域が制限された画像データＶｄｇ１に対してサブサンプリングによる符号化を行うサブサンプリング回路１４３と、このサブサンプリング回路１４３より出力される符号化された画像データＶｃｄを出力する出力端子１４４とを有している。サブサンプリング回路１４３では、例えば連続する２ラインでサンプリングされる画素データの位置が互い違いとなる、ラインオフセットサブサンプリングが行われる。
【００６３】
図３に示す符号化部１３５においては、入力端子１４１に入力されたデジタルの画像データＶｄｇ１がローパスフィルタ１４２で帯域制限された後にサブサンプリング回路１４３に供給される。サブサンプリング回路１４３では、画像データＶｄｇ１に対して例えばラインオフセットサブサンプリングが行われて、符号化された画像データＶｃｄが得られる。この場合、データは１／２に圧縮される。そして、サブサンプリング回路１４３より出力される符号化された画像データＶｃｄは出力端子１４４に出力される。
【００６４】
図４は、符号化部１３５が、図３に示すように構成される場合における、復号化部１３７の構成を示している。なおこの場合、再生機１１０の復号化部１１１も同様の構成となる。
【００６５】
この復号化部１３７は、符号化された画像データＶｃｄを入力する入力端子１４５と、この入力端子１４５に入力された画像データＶｃｄに対して補間処理をする補間回路１４６と、この補間回路１４６より出力される復号化された画像データＶｄｇ２を出力する出力端子１４７とを有している。補間回路１４６では、サブサンプリングにより欠けた画素データが、周囲に位置する画素データを用いて補間される。
【００６６】
図４に示す復号化部１３７においては、入力端子１４５に入力された、符号化された画像データＶｃｄが補間回路１３７に供給される。この補間回路１３７では、サブサンプリングにより欠けた画素データが、周囲に位置する画素データを用いて補間される。例えば、上述したようにラインオフセットサブサンプリングが行われている場合、このサブサンプリングにより欠けた画素データは、上下左右に位置する４つの画素データを用いて補間される。そして、補間回路１４６より出力される復号化された画像データＶｄｇ２は出力端子１４７に出力される。
【００６７】
次に、このように符号化部１３５でサブサンプリングによる符号化が行われる場合における、当該符号化による劣化について、図５を用いて説明する。
まず、再生機１１０で再生される光ディスク等の記録媒体に記録される、符号化された画像データにＶｃｄ０について説明する。この画像データＶｃｄ０は、図５Ａに示す符号化前のデジタルの画像データＶｄｇ０に対してサブサンプリングが行われることで得られる。図５Ａの「○」は画像データＶｄｇ０を構成する画素データの一部を示している。図５Ｂは、画像データＶｃｄ０を示しており、「○」はサブサンプリングされた画素データ、「×」はサブサンプリングにより欠けた画素データの位置を示している。
【００６８】
図５Ｂに示す符号化された画像データＶｃｄ０に対して復号化部１１１で復号化処理が行われ、この復号化部１１１からは図５Ｃに示すデジタルの画像データＶｄｇ０′が得られる。図５Ｃの「○」はサブサンプリングされていた画素データ、「△」はサブサンプリングにより欠け、復号化部１１１で周囲の画素データを用いて補間された画素データである。
【００６９】
再生機１１０からは、図５Ｃに示す復号化されたデジタルの画像データＶｄｇ０′がＤ／Ａ変換器１１２でアナログデータに変換されて得られたアナログの画像データＶａｎ１が出力される。この画像データＶａｎ１による画像は、サブサンプリングのために帯域を制限していること、およびサブサンプリングにより欠けた画素データを周囲に位置する画素データから補間していることから、図５Ａに示す画像データＶｄｇ０による画像に比べて、画質が多少劣化したものとなる。
【００７０】
このアナログの画像データＶａｎ１が符号化装置１３０のＡ／Ｄ変換器１３４でデジタルデータに変換されてデジタルの画像データＶｄｇ１が得られる。図５Ｄは、サンプリングクロックＣＬＫの位相が、水平方向に１画素間隔分だけずれた場合の画像データＶｄｇ１を示している。「○」、「△」は、それぞれ図５Ｃに示す画像データＶｄｇ０′の「○」、「△」に対応している。
【００７１】
図５Ｄに示す画像データＶｄｇ１に対して符号化部１３５でサブサンプリングによる符号化が行われて画像データＶｃｄが得られる。図５Ｄは、画像データＶｃｄを示しており、「△」はサブサンプリングされた画素データ、「×」はサブサンプリングにより欠けた画素データの位置を示している。
【００７２】
このように、画像データＶｃｄには、図５Ａに示す画像データＶｄｇ０を構成する画素データ（「○」で示す）は全く存在しなくなる。つまり、符号化により大幅な劣化が発生する。図５Ｆは、この画像データＶｃｄを復号化して得られた画像データＶｄｇ２を示しており、「△」はサブサンプリングされていた画素データ、「□」はサブサンプリングにより欠け、周囲の画素データを用いて補間された画素データである。
【００７３】
なお、図５の説明では、サンプリングクロックＣＬＫの位相が、水平方向に１画素間隔分だけずれた場合について説明したが、この位相のずらし幅が１画素間隔でない場合（２画素間隔の整数倍は含まない）であっても、画像データＶｃｄには、画像データＶｄｇ０を構成する画素データは全く存在しなくなり、符号化により大幅な劣化が発生することとなる。
【００７４】
図６は、符号化部１３５の他の構成例を示している。この場合、符号化部１３５では、変換符号化が行われる。変換符号化は、離散コサイン変換（ＤＣＴ：Ｄｉｓｃｒｅｔｅ  Ｃｏｓｉｎｅ  Ｔｒａｎｓｆｏｒｍ）などの直交変換を用いて、画像データを空間周波数領域に変換する符号化である。この場合、隣接画素との相関を利用して低域周波数領域に変換係数を偏らせることで、データ圧縮が行われる。この図６に示す符号化部１３５は、直交変換としてＤＣＴを用いたものである。
【００７５】
この符号化部１３５は、デジタルの画像データＶｄｇ１を入力する入力端子１５１と、この入力端子１５１に入力された画像データＶｄｇ１をブロック（ＤＣＴブロック）に分割するブロック化回路１５２とを有している。ブロック化回路１５２では、有効画面の画像データＶｄｇ１が、例えば（８×８）画素等の大きさのブロックに分割される。
【００７６】
また、符号化部１３５は、ブロック化回路１５２でブロック化された画像データに対し、ブロック毎に、直交変換としてのＤＣＴを行って、係数データを算出するＤＣＴ回路１５３と、このＤＣＴ回路１５３からの各ブロックの係数データを、量子化テーブルを用いて量子化する量子化回路１５４を有している。
【００７７】
また、符号化部１３５は、量子化回路１５４で量子化された各ブロックの係数データに対してエントロピー符号化、例えばハフマン符号化を行って符号化された画像データＶｃｄを得るエントロピー符号化回路１５５と、このエントロピー符号化回路１５５より出力される画像データＶｃｄを出力する出力端子１５６とを有している。
【００７８】
図６に示す符号化部１３５の動作を説明する。入力端子１５１には、デジタルの画像データＶｄｇ１が入力される。この画像データＶｄｇ１はブロック化回路１５２に供給される。このブロック化回路１５２では、有効画面の画像データＶｄｇ１が、例えば（８×８）画素等の大きさのブロックに分割される。
【００７９】
ブロック化回路１５２でブロック化された画像データはＤＣＴ回路１５３に供給される。このＤＣＴ回路１５３では、ブロック化された画像データに対し、ブロック毎に、ＤＣＴが行われて、係数データが算出される。この係数データは量子化回路１５４に供給される。
【００８０】
量子化回路１５４では、各ブロックの係数データが、量子化テーブルを用いて量子化され、各ブロックの量子化された係数データが順次得られる。この各ブロックの量子化された係数データはエントロピー符号化回路１５５に供給される。この符号化回路１５５では、量子化された各ブロックの係数データに対して、例えばハフマン符号化が行われる。これにより、符号化回路１５５からは符号化された画像データＶｃｄが得られ、この画像データＶｃｄは出力端子１５６に出力される。
【００８１】
図７は、符号化部１３５が、図６に示すように構成される場合における、復号化部１３７の構成を示している。なおこの場合、再生機１１０の復号化部１１１も同様の構成となる。
【００８２】
この復号化部１３７は、符号化された画像データＶｃｄを入力する入力端子１６１と、この入力端子１６１に入力された画像データＶｃｄ（エントロピー符号化データ、例えばハフマン符号化データである）を復号化するエントロピー復号化回路１６２とを有している。
【００８３】
また、復号化部１３７は、復号化回路１６２から出力される各ブロックの量子化された係数データに対して逆量子化を行って係数データを得る逆量子化回路１６３と、この逆量子化回路１６３で逆量子化されて得られた各ブロックの係数データに対し、ブロック毎に、逆ＤＣＴを行って画像データを得る逆ＤＣＴ回路１６４とを有している。
【００８４】
また、復号化部１３７は、逆ＤＣＴ回路１６４より得られる各ブロックの画像データをブロック化前の位置に戻し、復号化された画像データＶｄｇ２を得るブロック分解回路１６５と、このブロック分解回路１６５より出力される画像データＶｄｇ２を出力する出力端子１６６とを有している。ブロック分解回路１６５では、データの順序がラスター走査の順序に戻される。
【００８５】
図７に示す復号化部１３７の動作を説明する。符号化された画像データＶｃｄは入力端子１６１に入力される。この画像データＶｃｄはエントロピー復号化回路１６２に供給される。この画像データＶｃｄは、エントロピー符号化データ、例えばハフマン符号化データである。復号化回路１６２では、画像データＶｃｄの復号化が行われ、各ブロックの量子化された係数データが得られる。
【００８６】
この各ブロックの量子化された係数データは逆量子化回路１６３に供給される。逆量子化回路１６３では、各ブロックの量子化された係数データに対して逆量子化が行われ、各ブロックの係数データが得られる。この各ブロックの係数データは逆ＤＣＴ回路１６４に供給される。逆ＤＣＴ回路１６４では、各ブロックの係数データに対し、ブロック毎に逆ＤＣＴが行われて、各ブロックの画像データが得られる。
【００８７】
このように逆ＤＣＴ回路１６４で得られる各ブロックの画像データはブロック分解回路１６５に供給される。このブロック分解回路１６５では、データの順序がラスター走査の順序に戻される。これにより、ブロック分解回路１６５からは復号化された画像データＶｄｇ２が得られ、この画像データＶｄｇ２は出力端子１６６に出力される。
【００８８】
次に、このように符号化部１３５で変換符号化が行われる場合における、当該符号化による劣化について説明する。
ここで、再生機１１０で再生される光ディスク等の記録媒体に記録される、符号化された画像データＶｃｄ０は、有効画面の画像データが、図８の実線で示すブロック位置でブロック化されて符号化されたものであるとする。
【００８９】
再生機１１０では、この画像データＶｃｄ０に対して復号化部１１１で復号化処理が行われ、復号化されたデジタルの画像データＶｄｇ０′が得られる。そして、再生機１１０からは、この画像データＶｄｇ０′がＤ／Ａ変換器１１２でアナログデータに変換されて得られたアナログの画像データＶａｎ１が出力される。この画像データＶａｎ１による画像は、量子化処理、逆量子化処理を経たものであるため、符号化前の画像データによる画像に比べて、画質が多少劣化したものとなる。
【００９０】
このアナログの画像データＶａｎ１が符号化装置１３０のＡ／Ｄ変換器１３４でデジタルデータに変換されてデジタルの画像データＶｄｇ１が得られる。そして、この画像データＶｄｇ１が符号化部１３５に供給されて符号化されて、符号化された画像データＶｃｄが得られる。
【００９１】
この場合、Ａ／Ｄ変換器１３４より出力されるデジタルの画像データＶｄｇ１の位相がずらされていない場合、符号化部１３５では、有効画面の画像データが、上述したように図８の実線で示すブロック位置でブロック化されて符号化されたものとなる。したがってこの場合には、符号化部１３５における符号化で失う情報量は少なく、符号化部１３５における符号化による劣化は少ない。
【００９２】
しかし、本実施の形態においては、上述したように、Ａ／Ｄ変換器１３４より出力されるデジタルの画像データＶｄｇ１の位相がずらされているので、符号化部１３５では、有効画面の画像データが、例えば図８の破線で示すブロック位置でブロック化されて符号化されたものとなる。したがってこの場合、符号化部１３５における符号化で失う情報量は多く、符号化により大幅な劣化が発生する。
【００９３】
図９は、符号化部１３５の他の構成例を示している。この場合、符号化部１３５では、サブサンプリングによる符号化が行われ、さらに直交変換としてＤＣＴを用いた変換符号化が行われる。この図９において、図３および図６と対応する部分には同一符号を付し、その詳細説明は省略する。
【００９４】
この符号化部１３５では、図３に示す符号化部１３５と同様に、ローパスフィルタ１４２およびサブサンプリング回路１４３で、Ａ／Ｄ変換器１３４より出力されるデジタルの画像データＶｄｇ１に対して、サブサンプリングによる符号化が行われる。
【００９５】
さらに、サブサンプリング回路１４３より出力される符号化された画像データＶｃｄ′に対して、図６に示す符号化部１３５と同様に、ブロック化回路１５２、ＤＣＴ回路１５３、量子化回路１５４およびエントロピー符号化回路１５５で変換符号化が行われ、符号化された画像データＶｃｄが得られる。
【００９６】
図１０は、サブサンプリングとＤＣＴブロックとの関係を示している。図１０Ａは、画像データＶｄｇ１を構成する画素データの一部（８×８＝６４画素）を示している。「○」は画素データを示している。図１０Ｂは、サブサンプリング後の画像データを示しており、「○」はサブサンプリングされた画素データ、「×」はサブサンプリングにより欠けた画素データの位置を示している。サブサンプリング回路１４３では、連続する２ライン毎に、この２ラインに対応した画像データを構成する、サブサンプリングされた画素データを交互に配置して、新たな画像データを作成する。
【００９７】
図１０Ｃは、サブサンプリング回路１４３から出力される画像データＶｃｄ′を示している。この画像データＶｃｄ′は、画像データＶｄｇ１と比較して、ライン数は１／２となる。ブロック化回路１５２では、上述したように画像データＶｃｄ′のライン数が１／２となることから、例えば（８×４）画素の大きさのブロックに分割される。
【００９８】
図１１は、符号化部１３５が、図９に示すように構成される場合における、復号化部１３７の構成を示している。なおこの場合、再生機１１０の復号化部１１１も同様の構成となる。この図１１において、図７および図４と対応する部分には、同一符号を付し、その詳細説明は省略する。
【００９９】
この復号化部１３７では、図７に示す復号化部１３７と同様に、エントロピー復号化回路１６２、逆量子化回路１６３、逆ＤＣＴ回路１６４およびブロック分解回路１６５で、符号化された画像データＶｃｄに対して、変換符号化に対応する復号化が行われる。
【０１００】
さらに、ブロック分解回路１６５より出力される画像データＶｃｄ″に対して、図４に示す復号化部１２７と同様に、補間回路１４６で、サブサンプリングによる符号化に対応する復号化が行われ、復号化された画像データＶｄｇ２が得られる。
【０１０１】
このように符号化部１３５でサブサンプリングによる符号化および変換符号化が直列的に行われる場合、符号化部１３５では、双方の符号化による劣化の相乗効果により、図３、図６に示す符号化部１３５における劣化よりも大きな劣化が発生する。
【０１０２】
図１２は、符号化部１３５の他の構成例を示している。この場合、符号化部１３５では、ＡＤＲＣ（Ａｄａｐｔｉｖｅ  Ｄｙｎａｍｉｃ  Ｒａｎｇｅ  Ｃｏｄｉｎｇ）が行われる。このＡＤＲＣは、時空間の相関を利用しながら、画像データのレベル方向の冗長度だけを取り除き、コンシールができるように時空間の冗長度は残すようにした符号化方式である。
【０１０３】
この符号化部１３５は、デジタルの画像データＶｄｇ１を入力する入力端子１７１と、この入力端子１７１に入力された画像データＶｄｇ１をブロック（ＡＤＲＣブロック）に分割するブロック化回路１７２とを有している。ブロック化回路１７２では、有効画面の画像データＶｄｇ１が、例えば（４×４）画素等の大きさのブロックに分割される。このブロック化回路１７２は、デジタルの画像データＶｄｇ１から所定範囲の画像データを抽出する抽出手段を構成している。
【０１０４】
また、符号化部１３５は、ブロック化回路１７２より出力される各ブロックの画像データ（４×４個の画素データからなる）の最大値ＭＡＸを検出する最大値検出回路１７３と、各ブロックの画像データから最小値ＭＩＮを検出する最小値検出回路１７４とを有している。
【０１０５】
また、符号化部１３５は、最大値検出回路１７３で検出される最大値ＭＡＸから最小値検出回路１７４で検出される最小値ＭＩＮを減算して、ダイナミックレンジＤＲを得る減算器１７５と、ブロック化回路１５２より出力される各ブロックの画像データから、最小値検出回路１７４で検出される、対応するブロックの最小値ＭＩＮを減算して、最小値除去データＰＤＩを得る減算器１７７とを有している。なお、各ブロックの画像データは、時間調整用の遅延回路１７６を介して減算器１７７に供給される。
【０１０６】
また、符号化部１３５は、減算器１７７で得られる最小値除去データＰＤＩを、ダイナミックレンジＤＲに応じて決定される量子化ステップにより量子化する量子化回路１７８を有している。この場合、量子化ビット数を、固定とするか、あるいはダイナミックレンジＤＲに応じて変化させる。ダイナミックレンジＤＲに応じて変化させる場合、ダイナミックレンジＤＲが大きいほど量子化ビット数が大きくされる。
【０１０７】
例えば、画像データの値が０〜２５５を取り得る場合、０≦ＤＲ≦４のとき量子化ビット数は０とされ、５≦ＤＲ≦１３のとき量子化ビット数は１とされ、１４≦ＤＲ≦３５のとき量子化ビット数は２とされ、３６≦ＤＲ≦１０３のとき量子化ビット数は３とされ、１０４≦ＤＲ≦２５５のとき量子化ビット数は４とされる。
【０１０８】
量子化回路１７８では、量子化ビット数をｎとすると、最大値ＭＡＸと最小値ＭＩＮとの間のダイナミックレンジＤＲが２ｎ等分されたレベル範囲が設定され、最小値除去データＰＤＩがどのレベル範囲に属するかによって、ｎビットのコード信号が割り当てられる。図１３は、量子化ビット数が２の場合を示しており、最大値ＭＡＸと最小値ＭＩＮとの間のダイナミックレンジＤＲが４等分されたレベル範囲が設定され、最小値除去データＰＤＩがどのレベル範囲に属するかによって、２ビットのコード信号（００）〜（１１）が割り当てられる。図１３において、ｔｈ１〜ｔｈ３はレベル範囲の境界を示す閾値である。
【０１０９】
また、符号化部１３５は、ブロック毎に、量子化回路１７８で得られたコード信号ＤＴ、減算器１７５で求められたダイナミックレンジＤＲおよび最小値検出回路１７４で検出された最小値ＭＩＮを合成してブロックデータを生成するデータ合成回路１８１と、このデータ合成回路１８１で生成された各ブロックのブロックデータを、符号化された画像データＶｃｄとして順次出力する出力端子１８２とを有している。なお、ダイナミックレンジＤＲおよび最小値ＭＩＮは、それぞれ時間調整用の遅延回路１７９，１８０を介して、データ合成回路１８１に供給される。
【０１１０】
図１２に示す符号化部１３５の動作を説明する。入力端子１７１には、デジタルの画像データＶｄｇ１が入力される。この画像データＶｄｇ１はブロック化回路１７２に供給される。このブロック化回路１７２では、有効画面の画像データＶｄｇ１が、例えば（４×４）画素等の大きさのブロックに分割される。
【０１１１】
ブロック化回路１７２でブロック化された画像データは、最大値検出回路１７３および最小値検出回路１７４に供給される。最大値検出回路１７３では、ブロック毎に、画像データの最大値ＭＡＸが検出される。最小値検出回路１７４では、ブロック毎に、画像データの最小値ＭＩＮが検出される。
【０１１２】
最大値検出回路１７３で検出される最大値ＭＡＸおよび最小値検出回路１７４で検出される最小値ＭＩＮは減算器１７５に供給される、この減算機１７５では、ダイナミックレンジＤＲ＝ＭＡＸ−ＭＩＮが演算される。
【０１１３】
また、ブロック化回路１７２より出力される各ブロックの画像データは遅延回路１７６で時間調整された後に減算器１７７に供給される。この減算器１７７には、最小値検出回路１７４で検出される最小値ＭＩＮも供給される。この減算器１７７では、ブロック毎に、ブロックの画像データから当該ブロックの最小値ＭＩＮが減算されて最小値除去データＰＤＩが得られる。
【０１１４】
減算器１７７で得られる各ブロックの最小値除去データＰＤＩは量子化回路１７８に供給される。この量子化回路１７８には、減算器１７５で求められたダイナミックレンジＤＲが供給される。量子化回路１７８では、最小値除去データＰＤＩがダイナミックレンジＤＲに応じて決定される量子化ステップにより量子化される。
【０１１５】
量子化回路１７８で得られるコード信号ＤＴはデータ合成回路１８１に供給される。このデータ合成回路１８１には、減算器１７５で得られるダイナミックレンジＤＲが遅延回路１７９で時間調整されて供給されると共に、最小値検出回路１７４で検出される最小値ＭＩＮも遅延回路１５０で時間調整されて供給される。このデータ合成回路１８１では、ブロック毎に、最小値ＭＩＮ、ダイナミックレンジＤＲおよびブロック内の画素数分のコード信号ＤＴが合成されてブロックデータが生成される。そして、このデータ合成回路１８１で生成された各ブロックのブロックデータが、出力端子１８２に符号化された画像データＶｃｄとして順次出力される。
【０１１６】
図１４は、符号化部１３５が、図１２に示すように構成される場合における、復号化部１３７の構成を示している。なおこの場合、再生機１１０の復号化部１１１も同様の構成となる。
【０１１７】
この復号化部１３７は、符号化された画像データＶｃｄを入力する入力端子１８３と、この入力端子１８３に入力された画像データＶｃｄ（ブロックデータ）を、ブロック毎に、最小値ＭＩＮ、ダイナミックレンジＤＲおよびコード信号ＤＴに分解するデータ分解回路１８４とを有している。
【０１１８】
また、復号化部１３７は、データ分解回路１８４より出力されるコード信号ＤＴをダイナミックレンジＤＲに基づいて逆量子化し、最小値除去データＰＤＩ′を得る逆量子化回路１８５を有している。この逆量子化回路１８５では、図１３に示すように、ダイナミックレンジＤＲが量子化ビット数により等分割され、各領域の中央値Ｌ０，Ｌ１，Ｌ２，Ｌ３が、各コード信号ＤＴの復号値（最小値除去データＰＤＩ′）として利用される。
【０１１９】
また、復号化部１３７は、逆量子化回路１８５で得られる各ブロックの最小値除去データＰＤＩ′に、最小値ＭＩＮを加算して画像データを得る加算器１８６と、この加算器１８６より得られる各ブロックの画像データをブロック化前の位置に戻し、復号化された画像データＶｄｇ２を得るブロック分解回路１８７と、このブロック分解回路１８７より出力される画像データＶｄｇ２を出力する出力端子１８８とを有している。ブロック分解回路１８８では、データの順序がラスター走査の順序に戻される。
【０１２０】
図１４に示す復号化部１３７の動作を説明する。符号化された画像データＶｃｄは入力端子１８３に入力される。この画像データＶｃｄはデータ分解回路１８４に供給され、ブロック毎に、最小値ＭＩＮ、ダイナミックレンジＤＲおよびコード信号ＤＴに分解される。
【０１２１】
データ分解回路１８４より出力される各ブロックのコード信号ＤＴは、逆量子化回路１８５に供給される。この逆量子化回路１８５には、データ分解回路１８４より出力されるダイナミックレンジＤＲも供給される。逆量子化回路１８５では、各ブロックのコード信号ＤＴが、対応したブロックのダイナミックレンジＤＲに基づいて逆量子化され、最小値除去データＰＤＩ′が得られる。
【０１２２】
逆量子化回路１８５で得られる各ブロックの最小値除去データＰＤＩ′は加算器１８６に供給される。この加算器１８６には、データ分解回路１８４より出力される最小値ＭＩＮも供給される。加算器１８６では、最小値除去データＰＤＩ′に最小値ＭＩＮが加算されて画像データが得られる。
【０１２３】
この加算器１８６で得られる各ブロックの画像データはブロック分解回路１８７に供給される。ブロック分解回路１８７では、データの順序がラスター走査の順序に戻される。これにより、ブロック分解回路１８７からは復号化された画像データＶｄｇ２が得られ、この画像データＶｄｇ２は出力端子１８８に出力される。
【０１２４】
次に、このように符号化部１３５でＡＤＲＣが行われる場合における、当該符号化による劣化について説明する。
ここで、再生機１１０で再生される光ディスク等の記録媒体に記録される、符号化された画像データＶｃｄ０は、有効画面の画像データが、図１５の実線で示すブロック位置でブロック化されて符号化されたものであるとする。
【０１２５】
再生機１１０では、この画像データＶｃｄ０に対して復号化部１１１で復号化処理が行われ、この復号化されたデジタルの画像データＶｄｇ０′が得られる。そして、再生機１１０からは、この画像データＶｄｇ０′がＤ／Ａ変換器１１２でアナログデータに変換されて得られたアナログの画像データＶａｎ１が出力される。この画像データＶａｎ１による画像は、量子化処理、逆量子化処理を経たものであるため、符号化前の画像データによる画像に比べて、画質が多少劣化したものとなる。
【０１２６】
このアナログの画像データＶａｎ１が符号化装置１３０のＡ／Ｄ変換器１３４でデジタルデータに変換されてデジタルの画像データＶｄｇ１が得られる。そして、この画像データＶｄｇ１が符号化部１３５に供給されて符号化されて、符号化された画像データＶｃｄが得られる。
【０１２７】
この場合、Ａ／Ｄ変換器１３４より出力されるデジタルの画像データＶｄｇ１の位相がずらされていない場合、符号化部１３５では、有効画面の画像データが、上述したように図１５の実線で示すブロック位置でブロック化されて符号化されたものとなる。したがってこの場合には、符号化部１３５における符号化で失う情報量は少なく、符号化部１３５における符号化による劣化は少ない。
【０１２８】
しかし、本実施の形態においては、上述したように、Ａ／Ｄ変換器１３４より出力されるデジタルの画像データＶｄｇ１の位相がずらされているので、符号化部１３５では、有効画面の画像データが、例えば図１５の破線で示すブロック位置でブロック化されて符号化されたものとなる。したがってこの場合、符号化部１３５における符号化で失う情報量は多く、符号化により大幅な劣化が発生する。
【０１２９】
図１６は、符号化部１３５の他の構成例を示している。この場合、符号化部１３５では、サブサンプリングによる符号化が行われ、さらにＡＤＲＣが行われる。この図１６において、図３および図１２と対応する部分には同一符号を付し、その詳細説明は省略する。
【０１３０】
この符号化部１３５では、図３に示す符号化部１３５と同様に、ローパスフィルタ１４２およびサブサンプリング回路１４３で、Ａ／Ｄ変換器１３４より出力されるデジタルの画像データＶｄｇ１に対して、サブサンプリングによる符号化が行われる。
【０１３１】
さらに、サブサンプリング回路１４３より出力される符号化された画像データＶｃｄ′に対して、図１２に示す符号化部１３５と同様に、ブロック化回路１７２、最大値検出回路１７３、最小値検出回路１７４、減算器１７５，１７７、量子化回路１７８およびデータ合成回路１８１等でＡＤＲＣが行われ、符号化された画像データＶｃｄが得られる。
【０１３２】
図１７は、サブサンプリングとＡＤＲＣブロックとの関係を示している。図１０Ａは、画像データＶｄｇ１を構成する画素データの一部（８×８＝６４画素）を示している。「○」は画素データを示している。図１７Ｂは、サブサンプリング後の画像データを示しており、「○」はサブサンプリングされた画素データ、「×」はサブサンプリングにより欠けた画素データの位置を示している。サブサンプリング回路１４３では、連続する２ライン毎に、この２ラインに対応した画像データを構成する、サブサンプリングされた画素データを交互に配置して、新たな画像データを作成する。
【０１３３】
図１７Ｃは、サブサンプリング回路１４３から出力される画像データＶｃｄ′を示している。この画像データＶｃｄ′は、画像データＶｄｇ１と比較して、ライン数は１／２となる。ブロック化回路１５２では、上述したように画像データＶｃｄ′のライン数が１／２となることから、図１０Ａに示す画像データＶｄｇ１の８×８の画素データに対応して、４×４画素のブロックが２個得られる。
【０１３４】
図１８は、符号化部１３５が、図１６に示すように構成される場合における、復号化部１３７の構成を示している。なおこの場合、再生機１１０の復号化部１１１も同様の構成となる。この図において、図１４および図４と対応する部分には、同一符号を付し、その詳細説明は省略する。
【０１３５】
この復号化部１３７では、図１４に示す復号化部１３７と同様に、データ分解回路１８４、逆量子化回路１８５、加算器１８６およびブロック分解回路１８７で、符号化された画像データＶｃｄに対して、ＡＤＲＣに対応する復号化が行われる。
【０１３６】
さらに、ブロック分解回路１８７より出力される画像データＶｃｄ″に対して、図４に示す復号化部１３７と同様に、補間回路１４６で、サブサンプリングによる符号化に対応する復号化が行われ、復号化された画像データＶｄｇ２が得られる。
【０１３７】
このように符号化部１３５でサブサンプリングによる符号化およびＡＤＲＣが直列的に行われる場合、符号化部１３５では、双方の符号化による劣化の相乗効果により、図３、図１２に示す符号化部１３５における劣化よりも大きな劣化が発生する。
【０１３８】
図１９は、符号化部１３５のさらに他の構成例を示している。この場合、符号化部１３５では、サブサンプリングによる符号化、ＡＤＲＣ、さらに変換符号化が行われる。この図１９において、図３、図６および図１２と対応する部分には同一符号を付し、その詳細説明は省略する。
【０１３９】
この符号化部１３５では、図３に示す符号化部１３５と同様に、ローパスフィルタ１４２およびサブサンプリング回路１４３で、Ａ／Ｄ変換器１３４より出力されるデジタルの画像データＶｄｇ１に対して、サブサンプリングによる符号化が行われる。
【０１４０】
また、サブサンプリング回路１４３より出力される符号化された画像データＶｃｄ′に対して、図１２に示す符号化部１３５と同様に、ブロック化回路１７２、最大値検出回路１７３、最小値検出回路１７４、減算器１７５，１７７、量子化回路１７８およびデータ合成回路１８１等でＡＤＲＣが行われ、符号化された画像データＶｃｄが得られる。
【０１４１】
ただしこの場合、量子化回路１７８で得られる各ブロックのコード信号ＤＴに対して、図６に示す符号化部１３５と同様に、ＤＣＴ回路１５３、量子化回路１５４およびエントロピー符号化回路１５５で変換符号化が行われる。そして、このエントロピー符号化回路１５５より出力される符号化データＤＴ′が、コード信号ＤＴの代わりにデータ合成回路１８１に供給される。
【０１４２】
図２０は、符号化部１３５が、図１９に示すように構成される場合における、復号化部１３７の構成を示している。なおこの場合、再生機１１０の復号化部１１１も同様の構成となる。この図において、図１４、図７および図４と対応する部分には、同一符号を付し、その詳細説明は省略する。
【０１４３】
この復号化部１３７では、図１４に示す復号化部１３７と同様に、データ分解回路１８４、逆量子化回路１８５、加算器１８６およびブロック分解回路１８７で、符号化された画像データＶｃｄに対して、ＡＤＲＣに対応する復号化が行われる。
【０１４４】
ただしこの場合、データ分解回路１８４からはコード信号ＤＴの代わりに変換符号化された符号化データＤＴ′が出力される。そのため、この符号化データＤＴ′に対して、図７に示す復号化部１３７と同様に、エントロピー復号化回路１６２、逆量子化回路１６３および逆ＤＣＴ回路１６４で変換符号化に対応する復号化が行われてコード信号ＤＴ″が得られる。そして、このコード信号ＤＴ″に基づいて、逆量子化回路１８５で最小値除去データＰＤＩ′が得られる。
【０１４５】
さらに、ブロック分解回路１８７より出力される画像データＶｃｄ″に対して、図４に示す復号化部１３７と同様に、補間回路１４６で、サブサンプリングによる符号化に対応する復号化が行われ、復号化された画像データＶｄｇ２が得られる。
【０１４６】
このように符号化部１３５でサブサンプリングによる符号化、ＡＤＲＣおよび変換符号化が直列的に行われる場合、符号化部１３５では、これら符号化による劣化の相乗効果により、図３、図６、図１２に示す符号化部１３５における劣化よりも大きな劣化が発生する。
【０１４７】
なお、上述実施の形態における符号化装置１３０は、記録部１３６およびディスプレイ１３９の双方を備えるものであるが、これら記録部１３６およびディスプレイ１３９の双方またはいずれか一方が、符号化装置１３０に外付けされるものも考えられる。
【０１４８】
また、上述実施の形態における符号化装置１３０では、サンプリングクロックＣＬＫの位相をずらすことでＡ／Ｄ変換器１３４より出力される画像データＶｄｇ１の位相をずらすものを示したが、サンプリングクロックＣＬＫの位相をずらす代わりに、Ａ／Ｄ変換器１３４に供給されるアナログの画像データＶａｎ１を遅延回路で遅延させる等して、Ａ／Ｄ変換器１３４より出力される画像データＶｄｇ１の位相をずらすようにしてもよい。要は、画像データとサンプリングクロックＣＬＫとの位相を相対的にずらすようにすればよい。
【０１４９】
また、上述実施の形態における符号化装置１３０では、アナログの画像データＶａｎ１が入力され、この画像データＶａｎ１がＡ／Ｄ変換器１３４でデジタルデータに変換されるものを示したが、デジタルの画像データが直接供給されるものも考えられる。その場合、図１の符号化装置１３０において、アナログの画像データＶａｎ１の代わりに、例えば再生機の復号化部１１１より出力されるデジタルの画像データＶｄｇ０′が供給され、またサンプリングクロック発生回路１３３、Ａ／Ｄ変換器１３４がない構成となる。
【０１５０】
この場合においても、符号化部１３５で、デジタルの画像データＶｄｇ０′から分離され、遅延回路１３２で遅延された同期信号ＶＤ，ＨＤに基づいて、符号化処理を行うことで、デジタルの画像データＶｄｇ０′の位相を実質的にずらすことができる。この場合、遅延回路１３２および符号化部１３５の一部が位相ずらし手段を構成することになる。
【０１５１】
この場合、例えば変換符号化、ＡＤＲＣにおけるブロック位置が、画像データＶｄｇ０′を取得する際に使用された符号化デジタルデータを得る際のブロックの位置からずれたものとなり、符号化部１３５における符号化による劣化を大きくできる。
【０１５２】
次に、この発明の他の実施の形態について説明する。図２１は、他の実施の形態としての、画像表示システム１００Ａを示している。この図２１において、図１と対応する部分には同一符号を付し、その詳細説明は省略する。
【０１５３】
この画像表示システム１００Ａは、アナログの画像データＶａｎ１′を出力する再生機１１０Ａと、この再生機１１０Ａから出力される画像データＶａｎ１′による画像を表示するディスプレイ１２０とを有している。
【０１５４】
再生機１１０Ａについて説明する。この再生機１１０Ａは、光ディスク等の記録媒体を再生して符号化された画像データＶｄｇ０を得る再生部１９１と、この再生部１９１より出力される画像データＶｄｇ０を復号化する復号化部１９２とを有している。
【０１５５】
また、再生機１１０Ａは、復号化部１９２より出力される、この復号化部１９２より出力されるデジタルの画像データＶｄｇ０′に対応した同期情報ＳＩに基づいて、垂直同期信号ＶＤおよび水平同期信号ＨＤを発生する同期信号発生部１９３と、この同期信号発生部で発生される同期信号ＶＤ，ＨＤを所定時間だけ遅延させる遅延回路１９４とを有している。
【０１５６】
この遅延回路１９４は、図１に示す符号化装置１３０における遅延回路１３２と同様のものである。つまり、この遅延回路１９４では、同期信号ＶＤ，ＨＤが、それぞれ固定時間あるいはランダムな時間だけ遅延される。ランダムな時間は、例えば乱数発生器を持っており、電源オン時に発生される乱数に基づいて決定でき、あるいはメモリに所定種類の時間を用意しており、電源オン毎に順次選択して得ることができる。
【０１５７】
また、再生機１１０Ａは、復号化部１９２より出力される画像データＶｄｇ０′に遅延回路１９４で遅延された同期信号ＶＤ，ＨＤを合成する合成器１９５と、この合成器１９５より出力される画像データをアナログデータに変換して、アナログの画像データＶａｎ１′を得るＤ／Ａ変換器１９６とを有している。
【０１５８】
なお、図１に示す再生機１１０は、上述せずも、実際には、この再生器１１０Ａと同様に構成されている。ただし、遅延回路１９４は存在せず、同期信号発生部１９３で発生される同期信号ＶＤ，ＨＤが直接合成器１９５に供給されて、画像データＶｄｇ０′に合成される。
【０１５９】
この再生機１１０Ａの動作を説明する。再生部１９１では、光ディスク等の記録媒体を再生して符号化された画像データＶｄｇ０が得られる。そして、この符号化された画像データＶｄｇ０が復号化部１９２で復号化されて、デジタルの画像データＶｄｇ０′が得られる。
【０１６０】
また、復号化部１９２からは、画像信号Ｖｄｇ０′に対応した同期情報ＳＩが得られ、この同期情報ＳＩは同期信号発生部１９３に供給される。同期信号発生部１９３では、同期情報ＳＩに基づいて、垂直同期信号ＶＤおよび水平同期信号ＨＤが発生される。
【０１６１】
復号化部１９２で得られる画像データＶｄｇ０′は合成器１９５に供給される。また、この合成器１９５には、同期信号発生部１９３で発生された同期信号ＶＤ，ＨＤが遅延回路１９４を介して供給される。合成器１９５では、画像データＶｄｇ０′に同期信号ＶＤ，ＨＤが合成される。
【０１６２】
そして、この合成器１９５より出力される画像データはＤ／Ａ変換器１９６に供給される。このＤ／Ａ変換器１９６では、その画像データがアナログデータに変換され、アナログの画像データＶａｎ１′が得られる。
【０１６３】
この再生機１１０Ａでは、遅延回路１９４で同期信号ＶＤ，ＨＤを遅延させていることで、画像データＶｄｇ０′と同期信号ＶＤ，ＨＤとの位相が相対的にずらされる。なお、同期信号ＶＤ，ＨＤを遅延させる代わりに、画像データＶｄｇ０′を遅延させる等して、画像データＶｄｇ０′と同期信号ＶＤ，ＨＤとの位相を相対的にずらすようにしてもよい。すなわち、この再生機１１０Ａでは、画像データＶｄｇ０′と同期信号ＶＤ，ＨＤとの位相を相対的にずらすことに意義があり、その手段は特に限定されない。
【０１６４】
なお、再生部１９１で再生された符号化された画像データＶｄｇ０は、例えば図３、図６、図９、図１２、図１６、図１９に示すような符号化部１３５で符号化されて得られたものである。またその場合、復号化部１９２は、それぞれ図４、図７、図１１、図１４、図１８、図２０に示すように構成される。
【０１６５】
また、画像表示システム１００Ａは、再生機１１０Ａより出力されるアナログの画像データＶａｎ１′を利用して、再び符号化処理を行い、符号化された画像データを光ディスク等の記録媒体に記録する符号化装置１３０Ａを有している。この符号化装置１３０Ａは、図１に示す符号化装置１３０において、遅延回路１３２が除かれたものである。その他の構成は、符号化装置１３０と同様とされている。なお、符号化部１３５は、再生機１１０Ａで得られる符号化された画像データＶｄｇ０を得る符号化部と同様に構成される。また、復号化部１３７は、再生機１１０Ａの復号化部１９２と同様に構成されている。
【０１６６】
この図２１に示す画像表示システム１００Ａでは、再生機１１０Ａにおいて、画像データＶｄｇ０′と同期信号ＶＤ，ＨＤとの位相が相対的にずらされて合成され、その後にアナログデータに変換された画像データＶａｎ１′が得られる。このアナログの画像データＶａｎ１′はディスプレイ１２０に供給され、ディスプレイ１２０には、この画像データＶｄｇ１′による画像が表示される。この場合、画像データＶｄｇ０′と同期信号ＶＤ，ＨＤとの位相が相対的にずらされたことにより、例えば表示位置が多少ずれることが予想されるが、画質自体には影響を与えない。
【０１６７】
また、画像信号Ｖａｎ１′は符号化装置１３０に供給される。この画像信号Ｖａｎ１′は、上述したように画像データＶｄｇ０′と同期信号ＶＤ，ＨＤとの位相が相対的にずらされたものをアナログデータに変換したものである。そのため、クロック発生回路１３３より出力されるサンプリングクロックＣＬＫは、図１に示す符号化装置１３０におけると同様に、画像データに対して相対的に位相がずれたものとなり、Ａ／Ｄ変換器１３４より出力される画像データＶｄｇ１の位相もずれる。
【０１６８】
したがって、この符号化装置１３０Ａにおける符号化部１３５でも、図１に示す符号化装置１３０の符号化部１３５と同様に、符号化によって大きな劣化が発生する。これにより、符号化装置１３０Ａで良好な画質を維持したままでのコピーが不可能となる。
【０１６９】
図２１に示す再生機１１０Ａの構成では、同期信号ＶＤ，ＨＤを遅延させない通常の符号化装置１３０Ａを用いても、良好な画質を維持したままでのコピーを不可能とできる効果がある。
【０１７０】
なお、上述実施の形態においては、画像データの出力手段が再生機１１０Ａであるものを示したが、この発明は同様の画像データを出力するその他のデータ出力手段にも適用できる。例えば、放送信号を処理して画像データを出力するチューナ等であってもよい。
【０１７１】
また、上述実施の形態においては、データとして画像データを取り扱うものを示したが、この発明は音声データを取り扱うものにも同様に適用できる。音声データの場合には、表示手段としてのディスプレイの部分は、音声出力手段としてのスピーカが対応する。
【０１７２】
また、上述実施の形態における符号化部１３５の構成例を一例であり、これに限定されるものではない。要は、デジタルの画像データＶｄｇ１の位相がずらされることで、大きな劣化が発生する符号化を行うものであればよい。
【０１７３】
【発明の効果】
この発明に係るデータ符号化装置等によれば、位相がずらされたデジタルデータを符号化する構成とするものであり、コピー前のデータによる出力の質を落とすことなく、良好な質を維持したままでのコピーを不可能とできる。
【０１７４】
また、この発明に係るデータ出力装置等よれば、出力すべきデジタルデータと同期信号の位相を相対的にずらす構成とするものであり、コピー前のデータによる出力の質を落とすことなく、良好な質を維持したままでのコピーを不可能とできる。
【図面の簡単な説明】
【図１】実施の形態としての画像表示システムの構成を示すブロック図である。
【図２】位相ずらしを説明するための図である。
【図３】符号化部（サブサンプリング）の構成を示すブロック図である。
【図４】復号化部（サブサンプリング）の構成を示すブロック図である。
【図５】符号化（サブサンプリング）による劣化を説明するための図である。
【図６】符号化部（ＤＣＴ）の構成を示すブロック図である。
【図７】復号化部（ＤＣＴ）の構成を示すブロック図である。
【図８】ＤＣＴブロックのブロック化を説明するための図である。
【図９】符号化部（サブサンプリング＋ＤＣＴ）の構成を示すブロック図である。
【図１０】サブサンプリングとＤＣＴブロックとの関係を示す図である。
【図１１】復号化部（サブサンプリング＋ＤＣＴ）の構成を示すブロック図である。
【図１２】符号化部（ＡＤＲＣ）の構成を示すブロック図である。
【図１３】ＡＤＲＣの量子化、逆量子化を説明するための図である。
【図１４】復号化部（ＡＤＲＣ）の構成を示すブロック図である。
【図１５】ＡＤＲＣブロックのブロック化を説明するための図である。
【図１６】符号化部（サブサンプリング＋ＡＤＲＣ）の構成を示すブロック図である。
【図１７】サブサンプリングとＡＤＲＣブロックとの関係を示す図である。
【図１８】復号化部（サブサンプリング＋ＡＤＲＣ）の構成を示すブロック図である。
【図１９】符号化部（サブサンプリング＋ＡＤＲＣ＋ＤＣＴ）の構成を示すブロック図である。
【図２０】復号化部（サブサンプリング＋ＡＤＲＣ＋ＤＣＴ）の構成を示すブロック図である。
【図２１】この発明の他の実施の形態としての画像表示システムの構成を示すブロック図である。
【図２２】従来の画像表示システムの構成を示すブロック図である。
【符号の説明】
１００，１１０Ａ・・・画像表示システム、１１０，１１０Ａ・・・再生機、１１１・・・復号化部、１１２・・・Ｄ／Ａ変換器、１２０，１３９・・・ディスプレイ、１３０，１３０Ａ・・・符号化装置、１３１・・・同期分離回路、１３２・・・遅延回路、１３３・・・クロック発生回路、１３４・・・Ａ／Ｄ変換器、１３５・・・符号化部、１３６・・・記録部、１３７・・・復号化部、１３８・・・Ｄ／Ａ変換器、１９１・・・再生部、１９２・・・復号化部、１９３・・・同期信号発生部、１９４・・・遅延回路、１９５・・・合成器、１９６・・・Ｄ／Ａ変換器
【図１】
2004289685.tif 000003
【図２】
2004289685.tif 000004
【図３】
2004289685.tif 000005
【図４】
2004289685.tif 000006
【図５】
2004289685.tif 000007
【図６】
2004289685.tif 000008
【図７】
2004289685.tif 000009
【図８】
2004289685.tif 000010
【図９】
2004289685.tif 000011
【図１０】
2004289685.tif 000012
【図１１】
2004289685.tif 000013
【図１２】
2004289685.tif 000014
【図１３】
2004289685.tif 000015
【図１４】
2004289685.tif 000016
【図１５】
2004289685.tif 000017
【図１６】
2004289685.tif 000018
【図１７】
2004289685.tif 000019
【図１８】
2004289685.tif 000020
【図１９】
2004289685.tif 000021
【図２０】
2004289685.tif 000022
【図２１】
2004289685.tif 000023
【図２２】
2004289685.tif 000024
【手続補正書】
【提出日】平成16年4月21日(2004.4.21)
【手続補正１】
【補正対象書類名】明細書
【補正対象項目名】請求項２７
【補正方法】変更
【補正の内容】
【請求項２７】
上記合成手段から出力されるデジタルデータをアナログデータに変換するデジタル・アナログ変換手段をさらに備える
ことを特徴とする請求項２５に記載のデータ出力装置。
【手続補正２】
【補正対象書類名】明細書
【補正対象項目名】０１００
【補正方法】変更
【補正の内容】
【０１００】
さらに、ブロック分解回路１６５より出力される画像データＶcd″に対して、図４に示す復号化部１３７と同様に、補間回路１４６で、サブサンプリングによる符号化に対応する復号化が行われ、復号化された画像データＶdg2が得られる。


【手続補正３】
【補正対象書類名】明細書
【補正対象項目名】０１０５
【補正方法】変更
【補正の内容】
【０１０５】
また、符号化部１３５は、最大値検出回路１７３で検出される最大値ＭＡＸから最小値検出回路１７４で検出される最小値ＭＩＮを減算して、ダイナミックレンジＤＲを得る減算器１７５と、ブロック化回路１７２より出力される各ブロックの画像データから、最小値検出回路１７４で検出される、対応するブロックの最小値ＭＩＮを減算して、最小値除去データＰＤＩを得る減算器１７７とを有している。なお、各ブロックの画像データは、時間調整用の遅延回路１７６を介して減算器１７７に供給される。


【手続補正４】
【補正対象書類名】明細書
【補正対象項目名】０１１２
【補正方法】変更
【補正の内容】
【０１１２】
最大値検出回路１７３で検出される最大値ＭＡＸおよび最小値検出回路１７４で検出される最小値ＭＩＮは減算器１７５に供給される、この減算器１７５では、ダイナミックレンジＤＲ＝ＭＡＸ−ＭＩＮが演算される。


【手続補正５】
【補正対象書類名】明細書
【補正対象項目名】０１１５
【補正方法】変更
【補正の内容】
【０１１５】
量子化回路１７８で得られるコード信号ＤＴはデータ合成回路１８１に供給される。このデータ合成回路１８１には、減算器１７５で得られるダイナミックレンジＤＲが遅延回路１７９で時間調整されて供給されると共に、最小値検出回路１７４で検出される最小値ＭＩＮも遅延回路１８０で時間調整されて供給される。このデータ合成回路１８１では、ブロック毎に、最小値ＭＩＮ、ダイナミックレンジＤＲおよびブロック内の画素数分のコード信号ＤＴが合成されてブロックデータが生成される。そして、このデータ合成回路１８１で生成された各ブロックのブロックデータが、出力端子１８２に符号化された画像データＶcdとして順次出力される。


【手続補正６】
【補正対象書類名】明細書
【補正対象項目名】０１１９
【補正方法】変更
【補正の内容】
【０１１９】
また、復号化部１３７は、逆量子化回路１８５で得られる各ブロックの最小値除去データＰＤＩ′に、最小値ＭＩＮを加算して画像データを得る加算器１８６と、この加算器１８６より得られる各ブロックの画像データをブロック化前の位置に戻し、復号化された画像データＶdg2を得るブロック分解回路１８７と、このブロック分解回路１８７より出力される画像データＶdg2を出力する出力端子１８８とを有している。ブロック分解回路１８７では、データの順序がラスター走査の順序に戻される。


【手続補正７】
【補正対象書類名】明細書
【補正対象項目名】０１３２
【補正方法】変更
【補正の内容】
【０１３２】
図１７は、サブサンプリングとＡＤＲＣブロックとの関係を示している。図１７Ａは、画像データＶdg1を構成する画素データの一部（８×８＝６４画素）を示している。「○」は画素データを示している。図１７Ｂは、サブサンプリング後の画像データを示しており、「○」はサブサンプリングされた画素データ、「×」はサブサンプリングにより欠けた画素データの位置を示している。サブサンプリング回路１４３では、連続する２ライン毎に、この２ラインに対応した画像データを構成する、サブサンプリングされた画素データを交互に配置して、新たな画像データを作成する。


【手続補正８】
【補正対象書類名】明細書
【補正対象項目名】０１３３
【補正方法】変更
【補正の内容】
【０１３３】
図１７Ｃは、サブサンプリング回路１４３から出力される画像データＶcd′を示している。この画像データＶcd′は、画像データＶdg1と比較して、ライン数は１／２となる。ブロック化回路１７２では、上述したように画像データＶcd′のライン数が１／２となることから、図１７Ａに示す画像データＶdg1の８×８の画素データに対応して、４×４画素のブロックが２個得られる。


【手続補正９】
【補正対象書類名】明細書
【補正対象項目名】０１５８
【補正方法】変更
【補正の内容】
【０１５８】
なお、図１に示す再生機１１０は、上述せずも、実際には、この再生機１１０Ａと同様に構成されている。ただし、遅延回路１９４は存在せず、同期信号発生部１９３で発生される同期信号ＶＤ，ＨＤが直接合成器１９５に供給されて、画像データＶdg0′に合成される。


【手続補正１０】
【補正対象書類名】明細書
【補正対象項目名】０１６７
【補正方法】変更
【補正の内容】
【０１６７】
また、画像信号Ｖan1′は符号化装置１３０Ａに供給される。この画像信号Ｖan1′は、上述したように画像データＶdg0′と同期信号ＶＤ，ＨＤとの位相が相対的にずらされたものをアナログデータに変換したものである。そのため、クロック発生回路１３３より出力されるサンプリングクロックＣＬＫは、図１に示す符号化装置１３０におけると同様に、画像データに対して相対的に位相がずれたものとなり、Ａ／Ｄ変換器１３４より出力される画像データＶdg1の位相もずれる。